(57)【要約】      （修正有）【課題】血流のperfusion解析の結果を経時的な情報として表示可能なX線CT装置。【解決手段】パーフュージョンデータ取得手段は、被検体に造影剤を注入した状態でX線を曝射することによって検出されたX線検出データから被検体のパーフュージョンデータを生成する。パーフュージョンパラメータ算出手段は、パーフュージョンデータから得られる複数の関心領域ごとの造影剤の濃度の時間変化TDCに基づいて時間に関するパラメータであるパーフュージョンパラメータTTPを複数の関心領域ごとに算出する。パーフュージョンパラメータ表示手段は、造影剤の濃度の時間変化TDCの算出対象となった時間TIMEを複数の時間範囲DIVIDED TIME RANGEに分割し、パーフュージョンパラメータTTPの値が存在する関心領域のみが表示されるようにマスクした複数の関心領域の時間範囲ごとの互に異なる時相の画像を順次表示させる。【選択図】図４
2010068958.tif 000002
【特許請求の範囲】
【請求項１】
被検体に造影剤を注入した状態でX線を曝射することによって検出されたX線検出データから前記被検体のパーフュージョンデータを生成するパーフュージョンデータ取得手段と、
前記パーフュージョンデータから得られる複数の関心領域ごとの前記造影剤の濃度の時間変化に基づいて時間に関するパラメータであるパーフュージョンパラメータを前記複数の関心領域ごとに算出するパーフュージョンパラメータ算出手段と、
前記造影剤の濃度の時間変化の算出対象となった時間を複数の時間範囲に分割し、前記パーフュージョンパラメータの値が存在する関心領域のみが表示されるようにマスクした前記複数の関心領域の時間範囲ごとの互に異なる時相の画像を順次表示させるパーフュージョンパラメータ表示手段と、
を備えるX線CT装置。
【請求項２】
前記パーフュージョンパラメータ算出手段は、前記パーフュージョンパラメータとしてピークまでの時間を算出するように構成される請求項１記載のX線CT装置。
【請求項３】
前記パーフュージョンパラメータ算出手段は、着目する領域内の各ピクセルをそれぞれ１つの関心領域として前記パーフュージョンパラメータを算出するように構成される請求項１記載のX線CT装置。
【請求項４】
画像診断装置から被検体のパーフュージョンデータを取得するパーフュージョンデータ取得手段と、
前記パーフュージョンデータから得られる複数の関心領域ごとのデータの値の時間変化に基づいて時間に関するパラメータであるパーフュージョンパラメータを前記複数の関心領域ごとに算出するパーフュージョンパラメータ算出手段と、
前記データの値の時間変化の算出対象となった時間を複数の時間範囲に分割し、前記パーフュージョンパラメータの値が存在する関心領域のみが表示されるようにマスクした前記複数の関心領域の時間範囲ごとの互に異なる時相の画像を順次表示させるパーフュージョンパラメータ表示手段と、
を備える医用画像処理装置。
【請求項５】
コンピュータを、
画像診断装置から被検体のパーフュージョンデータを取得するパーフュージョンデータ取得手段、
前記パーフュージョンデータから得られる複数の関心領域ごとのデータの値の時間変化に基づいて時間に関するパラメータであるパーフュージョンパラメータを前記複数の関心領域ごとに算出するパーフュージョンパラメータ算出手段、および
前記データの値の時間変化の算出対象となった時間を複数の時間範囲に分割し、前記パーフュージョンパラメータの値が存在する関心領域のみが表示されるようにマスクした前記複数の関心領域の時間範囲ごとの互に異なる時相の画像を順次表示させるパーフュージョンパラメータ表示手段、
として機能させる医用画像処理プログラム。
【発明の詳細な説明】
【技術分野】
【０００１】
本発明は、被検体から取得した血流のperfusion解析の結果を示す経時的な情報を作成して表示させるX線CT装置、医用画像処理装置および医用画像処理プログラムに関する。
【背景技術】
【０００２】
従来から、X線CT (computed tomography)装置、MRI (magnetic resonance imaging)装置、核医学診断装置等の画像診断装置を用いて被検体の様々な臓器において血流のperfusion解析が行われている（例えば特許文献１参照）。従来のperfusion解析は、造影剤やトレーサを被検体に注入して得られるデータを用いて行われる。このperfusion解析によって血流の動態を観察することが可能となる。
【０００３】
perfusion解析の結果の表示方法としては、カラーマップが非常に多く用いられる。カラーマップを用いた観察は、血流動態および虚血部位の診断において積極的に利用されている。特に、頭部の血管や血管から栄養されている心臓や肝臓等の組織におけるperfusion解析は、組織の機能を把握する上で非常に重要な解析である。
【０００４】
図１は、従来のperfusion解析の結果得られる造影剤の時間濃度曲線(TDC: time density curve)を示す図であり、図２は、図１に示すようにTDCとして得られたperfusion解析結果の表示方法を示す図である。
【０００５】
図１の各グラフにおいて、縦軸は、被検体に注入された造影剤の濃度に対応するCT値(ハウンスフィールド値: HU)を示し、横軸は時間を示す。また、図１中の各曲線は、各ROI (ROI1, ROI2, ROI3, …)におけるTDCを表している。
【０００６】
従来のperfusion解析では、造影剤またはトレーサを注入して得られた複数の関心領域(ROI: region of interest)のX線CTデータから図１に示すようなROIごとのTDCが作成される。そして、作成されたTDCを基に様々なアルゴリズムによってROIごとのパーフュージョンパラメータが計算される。
【０００７】
perfusion解析の結果として得られたパーフュージョンパラメータは、図２に示すようにデータ値に応じて色分けされてカラーマップとして表示される。
【特許文献１】特開２００６−２４７３８８号公報
【発明の開示】
【発明が解決しようとする課題】
【０００８】
しかしながら従来のperfusion解析の結果の表示方法であるカラーマップは、全ての時相のパーフュージョンデータを包括した結果として非ダイナミックに表示するものである。すなわち、カラーマップは、被検体から得られたパーフュージョンデータを時間軸方向に全て重ね合わせた結果を表示するものである。
【０００９】
このため、血流がどの方向からどのように流れてきたか等のパーフュージョンデータの経時的な情報を観察することができず、直感的に血流動態を把握することが困難になるという問題がある。
【００１０】
本発明はかかる従来の事情に対処するためになされたものであり、被検体から取得した血流のperfusion解析の結果を経時的な情報として表示させることが可能なX線CT装置、医用画像処理装置および医用画像処理プログラムを提供することを目的とする。
【課題を解決するための手段】
【００１１】
本発明に係るX線CT装置は、上述の目的を達成するために、被検体に造影剤を注入した状態でX線を曝射することによって検出されたX線検出データから前記被検体のパーフュージョンデータを生成するパーフュージョンデータ取得手段と、前記パーフュージョンデータから得られる複数の関心領域ごとの前記造影剤の濃度の時間変化に基づいて時間に関するパラメータであるパーフュージョンパラメータを前記複数の関心領域ごとに算出するパーフュージョンパラメータ算出手段と、前記造影剤の濃度の時間変化の算出対象となった時間を複数の時間範囲に分割し、前記パーフュージョンパラメータの値が存在する関心領域のみが表示されるようにマスクした前記複数の関心領域の時間範囲ごとの互に異なる時相の画像を順次表示させるパーフュージョンパラメータ表示手段とを備えるものである。
【００１２】
また、本発明に係る医用画像処理装置は、上述の目的を達成するために、画像診断装置から被検体のパーフュージョンデータを取得するパーフュージョンデータ取得手段と、前記パーフュージョンデータから得られる複数の関心領域ごとのデータの値の時間変化に基づいて時間に関するパラメータであるパーフュージョンパラメータを前記複数の関心領域ごとに算出するパーフュージョンパラメータ算出手段と、前記データの値の時間変化の算出対象となった時間を複数の時間範囲に分割し、前記パーフュージョンパラメータの値が存在する関心領域のみが表示されるようにマスクした前記複数の関心領域の時間範囲ごとの互に異なる時相の画像を順次表示させるパーフュージョンパラメータ表示手段とを備えるものである。
【００１３】
また、本発明に係る医用画像処理プログラムは、上述の目的を達成するために、コンピュータを、画像診断装置から被検体のパーフュージョンデータを取得するパーフュージョンデータ取得手段、前記パーフュージョンデータから得られる複数の関心領域ごとのデータの値の時間変化に基づいて時間に関するパラメータであるパーフュージョンパラメータを前記複数の関心領域ごとに算出するパーフュージョンパラメータ算出手段、および前記データの値の時間変化の算出対象となった時間を複数の時間範囲に分割し、前記パーフュージョンパラメータの値が存在する関心領域のみが表示されるようにマスクした前記複数の関心領域の時間範囲ごとの互に異なる時相の画像を順次表示させるパーフュージョンパラメータ表示手段として機能させるものである。
【発明の効果】
【００１４】
本発明に係るX線CT装置、医用画像処理装置および医用画像処理プログラムにおいては、被検体から取得した血流のperfusion解析の結果を経時的な情報として表示させることができる。
【発明を実施するための最良の形態】
【００１５】
本発明に係るX線CT装置、医用画像処理装置および医用画像処理プログラムの実施の形態について添付図面を参照して説明する。
【００１６】
（構成および機能）
図３は本発明に係るX線CT装置の実施の形態を示す構成図である。
【００１７】
Ｘ線CT装置１は、ガントリ部２およびコンピュータ装置３とから構成される。ガントリ部２は、Ｘ線管４、高電圧発生装置５、Ｘ線検出器６、データ収集部（DAS: data acquisition system）７、造影剤注入装置８および心電計９を有する。Ｘ線管４とＸ線検出器６とは、高速で且つ連続的に回転する図示しない回転リングに被検体Ｐを挟んで互いに対向する位置に搭載される。
【００１８】
造影剤注入装置８は、コンピュータ装置３からの制御信号により制御され、所定の条件に従って被検体Ｐに造影剤を注入する機能を有する。心電計９は、被検体Ｐに接着させた電極と接続される。心電計９は、被検体Ｐから電極を介して心電(ECG: electro cardiogram)信号を検出し、検出したECG信号から被検体Ｐの心電図を生成してコンピュータ装置３に与える機能を有する。
【００１９】
そして、高電圧発生装置５は、コンピュータ装置３からの制御信号により心電計９において生成された心電図に同期してＸ線管４に所定の管電圧の管電流を供給し、Ｘ線管４から所望のエネルギのＸ線を被検体Ｐに曝射できるように構成されている。Ｘ線検出器６は、２次元状に配置した複数のＸ線検出素子を備えている。そして、３６０度方向から被検体Ｐを透過したＸ線は、Ｘ線検出器６の各Ｘ線検出素子によって検出される。
【００２０】
DAS７は、Ｘ線検出器６の各Ｘ線検出素子から出力されたＸ線検出データに対して増幅、積分処理、A/D (analog to digital)変換処理、対数変換処理等のDAS処理を施すことによって各Ｘ線検出素子にそれぞれ対応する投影データを生成する機能と、生成した投影データをコンピュータ装置３に出力する機能を備えている。
【００２１】
コンピュータ装置３には、表示装置１０および入力装置１１が接続される。また、コンピュータ装置３の記憶装置にプログラム読み込ませて演算装置で実行することにより、コンピュータ装置３には各種機能が備えられる。ただし、コンピュータ装置３に機能を設ける代わりに対応する機能を有する回路を設けてもよい。具体的には、コンピュータ装置３は、Ｘ線検出器６からDAS７を経て取得した投影データから被検体Ｐの血流のパーフュージョンデータを求める機能と、求めたパーフュージョンデータの経時的な情報を表示装置１０に表示させる機能を有する。
【００２２】
そのために、コンピュータ装置３は、スキャン制御装置１２、パーフュージョンデータ生成部１３および医用画像処理装置１４として機能する。医用画像処理装置１４は、時間−濃度曲線作成部１５、パーフュージョンパラメータ算出部１６、時相分割部１７、マスク作成部１８およびパーフュージョンデータ表示処理部１９を有する。
【００２３】
スキャン制御装置１２は、心電計９からの心電図に基づいて、Ｘ線管４およびＸ線検出器６を回転させるためのガントリ部２の架台駆動装置、高電圧発生装置５、造影剤注入装置８にスキャン条件に従って制御信号を与えて制御する機能を有する。
【００２４】
パーフュージョンデータ生成部１３は、DAS７からの出力データである投影データを用いて血流のパーフュージョンデータとして造影X線CT画像データを生成する機能を有する。パーフュージョンデータは、血流部分に対応するROIごとの各時相におけるCT値またはCT値から得られる値を示すダイナミック造影X線CT画像データとして生成される。画像データの１ピクセルまたは隣接する複数のピクセルを１つのROIとすることもできる。各ピクセルをそれぞれROIとして設定すれば、より細部に亘る詳細な血流の動態表示が可能となる。
【００２５】
医用画像処理装置１４は、パーフュージョンデータ生成部１３において生成されたROIごとのパーフュージョンデータから時間に関するperfusionパラメータを算出し、perfusionパラメータの値がある時間幅の範囲にあるROIのみが選択的に描出されるようにマスクされた画像データを時間幅の範囲を変えつつ表示装置１０に順次表示させる機能を有する。
【００２６】
そのために、時間−濃度曲線作成部１５は、パーフュージョンデータ生成部１３において得られたROIごとのCT値またはCT値から得られる値の複数時相分のダイナミック造影CT画像データを取得して、各ROIにおけるTDCを作成する機能を有する。
【００２７】
尚、TDCの作成に用いる画像データのノイズを低減させるために、量子ノイズ低減フィルタ等のフィルタを画像データに対して施すようにしてもよい。また、TDCの平滑化のためにスプライン補間やγ関数を用いてTDCの曲線近似を行ってもよい。さらに、データ処理量の低減化のために、perfusionパラメータを算出すべき部分のみを抽出する処理をTDCの算出に先立ってダイナミック造影CT画像データに対して行ってもよい。この場合、データの抽出方法としては、動的輪郭線法やリジョングローイング法等の手法が知られている。
【００２８】
パーフュージョンパラメータ算出部１６は、時間−濃度曲線作成部１５から取得したTDCから各ROIにおける時間に関するperfusionパラメータを算出する機能を有する。時間に関するperfusionパラメータの例としては、TTP (time to peak)等のように時間を値とし、経時的に算出することが可能なパラメータが挙げられる。
【００２９】
時相分割部１７は、時間−濃度曲線作成部１５から取得したTDCの算出対象となった時間を予め任意に決定されたある時間範囲（間隔）で分割することにより複数の時相に対応する時間範囲を作成する機能を有する。
【００３０】
マスク作成部１８は、時相分割部１７から複数の時相に対応する時間範囲情報を、パーフュージョンパラメータ算出部１６から各ROIにおけるTTP等のperfusionパラメータを、それぞれ取得する機能と、複数の時相に対応する時間範囲のうちTTP等のperfusionパラメータの値が存在する時間範囲以外の時間範囲をマスクするためのマスク情報を作成する機能を有する。換言すれば、マスク作成部１８は、時間範囲ごとの複数のROIを含む画像データを作成する場合に、ある時間範囲内においてperfusionパラメータの値が存在するROIのみを抽出するためのマスクを作成する機能を備えている。マスクは、ユーザが容易に視認できるようなものであればよく、カラーマスクであってもモノクロのマスクであってもよい。
【００３１】
パーフュージョンデータ表示処理部１９は、マスク作成部１８において作成された複数の時間範囲ごとのマスクを用いて、複数の時間範囲ごとのマスク画像データを生成する機能と、生成した時系列の複数のマスク画像データを表示装置１０に順次表示させる機能を有する。マスクは、パーフュージョンパラメータの値が存在する時間範囲およびROIのみが選択的に抽出されるように作成されているため。時系列のマスク画像データは、各時間範囲（各時相）において、パーフュージョンパラメータの値が存在するROIを経時的に識別表示させるダイナミック画像データとなる。このため、ユーザは容易に各時間範囲においてパーフュージョンパラメータの値が存在するROIを視認することが可能となる。
【００３２】
図４は、図３に示す医用画像処理装置１４における時系列のマスク画像データの生成方法を説明する図である。
【００３３】
図４の各グラフにおいて、縦軸は被検体Ｐに注入された造影剤の濃度に対応するCT値(HU)を示し、横軸は時間を、斜め方向の軸は異なる複数のROI方向を、それぞれ示す。また、図４中の各曲線は、N個のROI (ROI1, ROI2, ROI3, …, ROI N)におけるTDC (ROI i)(iはN以下の自然数)をそれぞれ表している。
【００３４】
図４に示すように、時間−濃度曲線作成部１５によってROIごとのTDC (TDC(ROI1), TDC(ROI2), TDC(ROI3), …, TDC(ROIN))が作成される。また、パーフュージョンパラメータ算出部１６により、perfusionパラメータとしてROIごとのTTP (TTP(ROI1), TTP(ROI2), TTP(ROI3), …, TTP(ROIN))が算出される。一方、時相分割部１７によって各TDCの算出対象となった時間がある時間範囲DIVIDED TIME RANGEでそれぞれ分割される。
【００３５】
次に、マスク作成部１８において、各時間範囲においてTTPが存在するROI以外のROIをマスクするためのマスク情報MASK1, MASK2, MASK3, …が時間範囲ごとに作成される。例えば、ROI1のTTPが存在する時間範囲に対応するマスクは、ROI1を抽出するためのMASK3となる。そして、パーフュージョンデータ表示処理部１９は、マスク作成部１８において作成された複数の時間範囲ごとのマスクMASK1, MASK2, MASK3, …を用いて、複数の時相TIME PHASE 1, TIME PHASE 2, TIME PHASE 3, …にそれぞれ対応する時系列の複数のマスク画像データIMAGE (TIME PHASE 1), IMAGE (TIME PHASE 2), IMAGE (TIME PHASE 3), …を生成する。
【００３６】
尚、図４の例では、時間範囲ごとに異なるカラーが割当てられているため、マスク画像データは時相ごとに異なるカラーで表示されている。このようにカラースケールを用いてTTP等のperfusionパラメータを表示させることができる。ただし、グレースケールによりperfusionパラメータを輝度表示させてもよい。
【００３７】
パーフュージョンデータ表示処理部１９は、このように生成したマスク画像データの表示処理を行う機能も備えている。例えば、時系列の複数のマスク画像データが経時的に残像を残しながら表示されるようにする表示処理、残像を残さずに複数のマスク画像データの切換表示を行うための表示処理、時間的に隣接する２つのマスク画像データ間において補間処理を行って中間的なマスク画像データを作成することにより時間的にスムーズなダイナミック表示を行う表示処理、マスク画像データと３次元X線CT画像データとを重畳表示または同期表示させる表示処理、時間的に隣接する３次元X線CT画像データ間におけるサブトラクション画像データとマスク画像データ間とを重畳表示または同期表示させる表示処理等の様々な表示処理をマスク画像データに対して施すことができる。特に、３次元X線CT画像データのサブトラクション画像データは血管を強調させた画像データとなるため、マスク画像データとを同期させて表示すれば、組織にどのように血液が流れているのかが把握できるようになるという効果を期待することができる。
【００３８】
また、１スライスのみについての時系列の２次元マスク画像データではなく、３次元的に設定された複数のROIについての時系列の３次元マスク画像データを生成して、断面変換処理等の画像処理によって生成された２次元画像を表示装置１０に表示させることが実用的である。断面変換処理等の画像処理もパーフュージョンデータ表示処理部１９において行うことができる。
【００３９】
（動作および作用）
次にX線CT装置１の動作および作用について説明する。
【００４０】
図５は、図１に示すＸ線CT装置１により被検体Ｐの複数のROIについてパーフュージョンデータを取得してTTPが存在するROIのみを識別表示させる時系列の複数のマスク画像データを経時的な情報として順次表示させるための流れを示すフローチャートであり、図中Ｓに数字を付した符号はフローチャートの各ステップを示す。
【００４１】
まずステップＳ１において、スキャンの実行により被検体Ｐのパーフュージョンデータが収集される。すなわち、スキャン制御装置１２からの制御信号によって造影剤注入装置８から被検体Ｐに造影剤が注入される。一方、心電計９において検出されたECG信号に基づくスキャン制御装置１２からの制御信号によってＸ線管４およびＸ線検出器６が被検体Ｐ周りに回転し、高電圧発生装置５からECG信号に同期してＸ線管４に管電流が供給される。このため、Ｘ線管４からＸ線が被検体Ｐに曝射され、被検体Ｐを透過したＸ線がＸ線検出器６のＸ線検出素子により検出される。検出されたＸ線検出データは、DAS７に出力され、Ｘ線検出データから投影データが生成される。そして、投影データは、コンピュータ装置３に出力される。
【００４２】
次に、コンピュータ装置３のパーフュージョンデータ生成部１３は、DAS７から出力された投影データからROIごとの各時相における血流のパーフュージョンデータとして造影X線CT画像データを生成する。
【００４３】
次に、ステップＳ２において、医用画像処理装置１４の時間−濃度曲線作成部１５はパーフュージョンデータに基づいて各ROIにおけるTDCを作成する。
【００４４】
次に、ステップＳ３において、パーフュージョンパラメータ算出部１６は、各ROIにおけるTDCから時間に関するperfusionパラメータとして各ROIにおけるTTPを算出する。
【００４５】
一方、ステップＳ４において、時相分割部１７は、TDCの算出対象となった時間をある時間範囲でそれぞれ分割する。これにより、異なる時相に対応する複数の時間範囲が作成される。
【００４６】
次に、ステップＳ５において、マスク作成部１８は、各時相に対応する時間範囲内においてTTPが存在するROIのみを抽出するためのマスクを作成する。
【００４７】
次に、ステップＳ６において、パーフュージョンデータ表示処理部１９は、マスク作成部１８において作成された時間範囲ごとのマスクを用いてTTPが存在しないROIがマスクされた各時相に対応する複数のマスク画像データを経時的なパーフュージョンデータ情報として生成し、複数のマスク画像データを順次表示装置１０に表示させる。
【００４８】
図６は、図３に示すX線CT装置１により経時的に表示される複数時相のマスク画像の例を示す図である。
【００４９】
図６の各画像は、被検体Ｐの頭部における同一断面の画像である。図６に示すように経時的なパーフュージョンデータ情報を表す複数のマスク画像データを時相順に表示させることができる。図６は、各ピクセルをそれぞれROIに設定して１秒ごとに画像を生成した例を示している。このように、時系列のマスク画像データをダイナミック表示させることにより、ピクセル間における血流の移動を表示させることができる。つまり経時的にマスク画像データを表示させることにより、マスク領域および非マスク領域の移動により血流の流れる方向を視覚的に観察することができる。
【００５０】
以上のようなX線CT装置１は、被検体の各ROIにおいて取得した血流のperfusion解析の結果を示すTDCからTTP等の時間をデータ値とするperfusionパラメータを算出し、perfusionパラメータの値がある時間幅の範囲にあるROIのみが選択的に抽出されるようにマスクされた画像を時間幅の範囲を変えつつ順次表示させることによって血流動態を経時的に観察できるようにしたものである。
【００５１】
（効果）
このためX線CT装置１によれば、perfusion解析の結果を経時的に観察することが可能となる。また、血流がどの方向から流れてきたか等の血流の向きを含む血流動態を直感的に把握することも容易となる。特に、頭部や心臓等の部位においては、側副血行路によって栄養されている領域の認識が容易となることが期待される。さらに、３次元X線CT画像データや３次元ダイナミックX線CT画像データ間のサブトラクション画像データと各時相に対応するTTP等のパーフュージョンデータとを重畳表示させることにより、梗塞時における責任血管や支配領域を、より直感的に把握することが可能となる。
【００５２】
（変形例）
上述した実施形態では、被検体Ｐのパーフュージョンデータからperfusion解析の結果を経時的に表す画像データを生成して表示する医用画像処理装置１４をX線CT装置１に内蔵した例を示したが、X線CT装置１と医用画像処理装置１４とをネットワークを介して接続することもできる。さらに、X線CT装置１以外のMRI (Magnetic Resonance Imaging)装置、PET (positron emission computed tomography)やSPECT (single photon emission computed tomography)等の核医学診断装置、超音波診断装置等の画像診断装置に、画像診断装置において取得されたパーフュージョンデータからperfusion解析の結果を経時的に表す画像データを生成して表示する機能を有する医用画像処理装置１４を内蔵またはネットワークを介して接続することもできる。
【００５３】
また、上述した実施形態では、造影剤を用いた例について説明したが、造影剤を用いずに非造影で収集されたパーフュージョンデータからperfusion解析の結果を経時的に表す画像データを生成するようにしても良い。この場合には、パーフュージョンデータを表すMRエコーデータ等の収集データの信号強度の時間変化曲線から時間に関するパーフュージョンパラメータを算出することができる。
【図面の簡単な説明】
【００５４】
【図１】従来のperfusion解析の結果得られる造影剤の時間濃度曲線を示す図。
【図２】図１に示すようにTDCとして得られたperfusion解析結果の表示方法を示す図。
【図３】本発明に係るX線CT装置の実施の形態を示す構成図。
【図４】図３に示す医用画像処理装置における時系列のマスク画像データの生成方法を説明する図。
【図５】図１に示すＸ線CT装置により被検体の複数のROIについてパーフュージョンデータを取得してTTPが存在するROIのみを識別表示させる時系列の複数のマスク画像データを経時的な情報として順次表示させるための流れを示すフローチャート。
【図６】図３に示すX線CT装置１により経時的に表示される複数時相のマスク画像の例を示す図。
【符号の説明】
【００５５】
１  Ｘ線CT装置
２  ガントリ部
３  コンピュータ装置
４  Ｘ線管
５  高電圧発生装置
６  Ｘ線検出器
７  データ収集部
８  造影剤注入装置
９  心電計
１０  表示装置
１１  入力装置
１２  スキャン制御装置
１３  パーフュージョンデータ生成部
１４  医用画像処理装置
１５  時間−濃度曲線作成部
１６  パーフュージョンパラメータ算出部
１７  時相分割部
１８  マスク作成部
１９  パーフュージョンデータ表示処理部
Ｐ  被検体
【図１】
2010068958.tif 000003
【図２】
2010068958.tif 000004
【図３】
2010068958.tif 000005
【図４】
2010068958.tif 000006
【図５】
2010068958.tif 000007
【図６】
2010068958.tif 000008